(57)【要約】【課題】導光板の入光端面近傍に発生する輝度むらが傾斜した方向から見た場合にも抑制されている面状照明装置を提供すること。【解決手段】面状照明装置は、複数の発光素子から出射された光が入光する入光端面と、入光端面と交差する２つの主表面とを有し、２つの主表面の少なくともいずれか一方に平面視形状が略楕円の複数の凸部が長軸方向を揃えた状態で配列された光拡散部が形成されており、２つの主表面の少なくともいずれか一方から入光した光を出射する導光板と、導光板の光を出射する主表面に垂直な方向に配置され第１方向に延伸する複数のプリズムが主面に形成された第１配向制御部材と、導光板と第１配向制御部材との間に配置され第１方向に垂直な第２方向に延伸する複数のプリズムが主面に形成された第２配向制御部材とを備え、第１方向に対する光拡散部の凸部の長軸方向の成す角が２５°以下である。【選択図】図１
2017076557.tif 000002
【特許請求の範囲】
【請求項１】
複数の発光素子と、
前記複数の発光素子から出射された光が入光する入光端面と、前記入光端面と交差する２つの主表面とを有し、前記２つの主表面の少なくともいずれか一方に、平面視形状が略楕円の複数の凸部が長軸方向を揃えた状態で配列された光拡散部が形成されており、前記２つの主表面の少なくともいずれか一方から前記入光した光を出射する導光板と、
前記導光板の前記光を出射する主表面に垂直な方向に配置され、第１方向に延伸する複数のプリズムが主面に形成された第１配向制御部材と、
前記導光板と前記第１配向制御部材との間に配置され、前記第１方向に垂直な第２方向に延伸する複数のプリズムが主面に形成された第２配向制御部材と、
を備え、
前記第１方向に対する前記光拡散部の前記凸部の長軸方向の成す角が２５°以下であることを特徴とする面状照明装置。
【請求項２】
前記導光板の入光端面に対する前記第１方向の成す角が４０°以下であることを特徴とする請求項１に記載の面状照明装置。
【請求項３】
前記凸部の高さが５μｍ以上であることを特徴とする請求項１または２に記載の面状照明装置。
【請求項４】
前記凸部の短径に対する長径の比が３以上であることを特徴とする請求項１〜３のいずれか一つに記載の面状照明装置。
【請求項５】
前記光拡散部は、前記導光板の前記主表面において、前記入光端面の近傍に設けられていることを特徴とする請求項１〜５のいずれか一つに記載の面状照明装置。
【請求項６】
複数の発光素子と、
前記複数の発光素子から出射された光が入光する入光端面と、前記入光端面と交差する２つの主表面とを有し、前記２つの主表面の少なくともいずれか一方に、平面視形状が略楕円の複数の凸部が長軸方向を揃えた状態で配列された光拡散部が形成されており、前記２つの主表面の少なくともいずれか一方から前記入光された光を出射する導光板と、
前記導光板の前記光を出射する主表面に垂直な方向に配置され、第１方向に延伸する複数のプリズムが主面に形成された第１配向制御部材と、
前記導光板と前記第１配向制御部材との間に配置され、前記第１方向に垂直な第２方向に延伸する複数のプリズムが主面に形成された第２配向制御部材と、
を備え、
前記第１方向に対して前記光拡散部の前記凸部の長軸方向が傾いていることを特徴とする面状照明装置。
【発明の詳細な説明】
【技術分野】
【０００１】
本発明は、面状照明装置に関するものである。
【背景技術】
【０００２】
液晶表示装置において液晶表示パネルのバックライトとして、面状照明装置が使用されている。特に、ＬＥＤ等の発光素子と導光板とを組み合わせたサイドライト式の面状照明装置は、携帯電話等の小型携帯情報機器などに広く使用されている（たとえば特許文献１）。
【０００３】
このような面状照明装置では、導光板の入光端面近傍に、各ＬＥＤの前方に位置する明部と、隣接するＬＥＤの間の暗部とからなる輝度むらが発生することが知られている。このような輝度むらを解消するために、導光板の入光端面に光を拡散するための入光プリズムを備えた面状照明装置が開示されている（たとえば特許文献２）。
【先行技術文献】
【特許文献】
【０００４】
【特許文献１】特開２００４−３５４７２７号公報
【特許文献２】特開２０１３−２６１３８号公報
【発明の概要】
【発明が解決しようとする課題】
【０００５】
より高品質な照明を行う面状照明装置を実現するために、導光板の入光端面近傍に発生する輝度むらをさらに抑制する技術が求められている。特に、正面（導光板の主表面に垂直な方向）から見た場合だけでなく、傾斜した方向から見た場合にも輝度むらが抑制されていることが求められている。
【０００６】
本発明は、上記に鑑みてなされたものであって、導光板の入光端面近傍に発生する輝度むらが、傾斜した方向から見た場合にも抑制されている面状照明装置を提供することを目的とする。
【課題を解決するための手段】
【０００７】
上述した課題を解決し、目的を達成するために、本発明の一態様に係る面状照明装置は、複数の発光素子と、前記複数の発光素子から出射された光が入光する入光端面と、前記入光端面と交差する２つの主表面とを有し、前記２つの主表面の少なくともいずれか一方に、平面視形状が略楕円の複数の凸部が長軸方向を揃えた状態で配列された光拡散部が形成されており、前記２つの主表面の少なくともいずれか一方から前記入光された光を出射する導光板と、前記導光板の前記光を出射する主表面に垂直な方向に配置され、第１方向に延伸する複数のプリズムが主面に形成された第１配向制御部材と、前記導光板と前記第１配向制御部材との間に配置され、前記第１方向に垂直な第２方向に延伸する複数のプリズムが主面に形成された第２配向制御部材と、を備え、前記第１方向に対する前記光拡散部の前記凸部の長軸方向の成す角が２５°以下であることを特徴とする。
【０００８】
本発明の一態様に係る面状照明装置は、前記導光板の入光端面に対する前記第１方向の成す角が４０°以下であることを特徴とする。
【０００９】
本発明の一態様に係る面状照明装置は、前記凸部の高さが５μｍ以上であることを特徴とする。
【００１０】
本発明の一態様に係る面状照明装置は、前記凸部の短径に対する長径の比が３以上であることを特徴とする。
【００１１】
本発明の一態様に係る面状照明装置は、前記光拡散部は、前記導光板の前記主表面において、前記入光端面の近傍に設けられていることを特徴とする。
【００１２】
本発明の一態様に係る面状照明装置は、複数の発光素子と、前記複数の発光素子から出射された光が入光する入光端面と、前記入光端面と交差する２つの主表面とを有し、前記２つの主表面の少なくともいずれか一方に、平面視形状が略楕円の複数の凸部が長軸方向を揃えた状態で配列された光拡散部が形成されており、前記２つの主表面の少なくともいずれか一方から前記入光された光を出射する導光板と、前記導光板の前記光を出射する主表面に垂直な方向に配置され、第１方向に延伸する複数のプリズムが主面に形成された第１配向制御部材と、前記導光板と前記第１配向制御部材との間に配置され、前記第１方向に垂直な第２方向に延伸する複数のプリズムが主面に形成された第２配向制御部材と、を備え、前記第１方向に対して前記光拡散部の前記凸部の長軸方向が傾いていることを特徴とする。
【発明の効果】
【００１３】
本発明によれば、導光板の入光端面近傍に発生する輝度むらを抑制することができる。
【図面の簡単な説明】
【００１４】
【図１】図１は、実施形態１に係る面状照明装置の模式的な分解斜視図である。
【図２】図２は、光拡散部が形成された主表面をその主表面側から撮影した顕微鏡写真を示す模式図である。
【図３】図３は、図２のＸ−Ｘ線断面およびＹ−Ｙ線断面を示す図である。
【図４】図４は、実施形態１における、導光板の入光端面に対する配向制御部材のプリズムの稜線の角度と光拡散部の凸部の長軸の角度との関係を示す図である。
【図５】図５は、輝度むらの測定方法を説明する図である。
【図６】図６は、凸部の長軸の角度と反転率との関係を示す図である。
【図７】図７は、実施形態２における、導光板の入光端面に対する配向制御部材のプリズムの稜線の角度と光拡散部の凸部の長軸の角度との関係を示す図である。
【図８】図８は、凸部の長軸の角度と反転率との関係を示す図である。
【図９】図９は、実施形態３における、導光板の入光端面に対する配向制御部材のプリズムの稜線の角度と光拡散部の凸部の長軸の角度との関係を示す図である。
【図１０】図１０は、凸部の長軸の角度と反転率との関係を示す図である。
【図１１】図１１は、凸部の高さと反転率との関係を示す図である。
【図１２】図１２は、凸部の縦／横比と反転率との関係を示す図である。
【発明を実施するための形態】
【００１５】
以下に、図面を参照して本発明に係る面状照明装置の実施形態を詳細に説明する。なお、この実施形態によりこの発明が限定されるものではない。また、各図面において、同一または対応する要素には適宜同一の符号を付している。
【００１６】
（実施形態１）
図１は、実施形態１に係る面状照明装置の模式的な分解斜視図である。図１に示すように、面状照明装置１０は、複数の発光素子１と、導光板２と、拡散板３と、第１配向制御部材４と、第２配向制御部材５と、反射板６と、枠体７とを備えている。これらの構成要素は、不図示のケースに積層された状態で収容され、保持されている。
【００１７】
発光素子１は、青色の光を発光して放射状に出射するＬＥＤチップと、該ＬＥＤチップを封止する透光性の樹脂材料からなる封止材とを備える。ここで、封止材は、その中に青色光を吸収し、青色の補色である黄色の光を発光する蛍光材料（たとえば、ＹＡＧ：Ｃｅ微粒子）が分散されている。これにより、発光素子１は白色ＬＥＤ素子として構成されている。なお、発光素子１は、発光素子１に電力を供給するための不図示の配線基板に搭載されている。なお、図１では３つの発光素子１を図示しているが、発光素子１の数は３以上であってもよい。
【００１８】
導光板２は、対向する互いに平行な２つの主表面２ａ、２ｂと、主表面２ａ、２ｂと交差(本実施形態１では直交)する入光端面２ｃ、入光端面２ｃに平行に対向する終端面２ｄとを有している。複数の発光素子１は、各発光素子１から出射された光が入光端面２ｃに入光するように、その発光面が入光端面２ｃに対向するように等間隔で配置されている。また、主表面２ａには、シリンドリカルレンズが入光端面２ｃに垂直に並列に並べられて構成されているレンチキュラーレンズが形成されている。一方、主表面２ｂには後述する光拡散部が形成されている。導光板２は、発光素子１が出射する光に対して透光性を有する材料（たとえば樹脂）で構成されており、複数の発光素子１から導光板２に入光した光は、終端面２ｄ側へ導光されながら、レンチキュラーレンズおよび光拡散部の作用により主表面２ａから出射される。
【００１９】
拡散板３は、導光板２の主表面２ａ側において、主表面２ａに垂直な方向（矢印Ａ１で示す方向）に配置されている。拡散板３は、樹脂等の材料で構成されており、光を拡散する機能を有する。導光板２の主表面２ａから出射された光は拡散板３により拡散される。
【００２０】
第１配向制御部材４は、拡散板３を挟んで、導光板２の主表面２ａに垂直な方向に配置されている。第１配向制御部材４には、所定の方向（第１方向）に延伸する複数のプリズム４ａ（本実施形態１では三角プリズム）が主面に形成されている。符号４ａａはプリズムの頂点の角が形成する稜線を示している。各プリズムの稜線４ａａは第１方向に延伸している。第１配向制御部材４は、発光素子１が出射する光に対して透光性を有する材料で構成されている。
【００２１】
第２配向制御部材５は、導光板２と第１配向制御部材４との間に配置されており、本実施形態１では、拡散板３を挟んで、導光板２の主表面２ａに垂直な方向に配置されている。第２配向制御部材５には、第１方向に垂直な第２方向に延伸する複数のプリズム５ａ（本実施形態１では三角プリズム）が主面に形成されている。符号５ａａはプリズムの角が形成する稜線を示している。各プリズムの稜線５ａａは第２方向に延伸している。第２配向制御部材５は、発光素子１が出射する光に対して透光性を有する材料で構成されている。拡散板３から出射された光は、第２配向制御部材５および第１配向制御部材４のプリズムにより、拡散された光の進行方向が正面方向（矢印Ａ１の方向）に向けて屈曲されることで、その配向性が制御される。
【００２２】
なお、図１に示すように、第１配向制御部材４のプリズムの延伸方向（稜線４ａａの延伸方向）は導光板２における光の導光方向（入光端面２ｃに垂直な方向）に対して傾斜している。第２配向制御部材５のプリズムの延伸方向（稜線５ａａの延伸方向）は導光板２における光の導光方向と垂直な方向(すなわち、入光端面２ｃが延伸する方向)に対して傾斜している。この傾斜は、面状照明装置１０が液晶表示パネルのバックライトに使用される際に、モアレ模様の発生を抑制するために設けられている。
【００２３】
反射板６は、導光板２を挟んで、拡散板３の反対側（すなわち主表面２ｂ側）の主表面２ａに垂直な方向に配置されている。反射板６は主表面２ｂ側から出射された光を主表面２ｂに向けて反射するように構成されている。これにより、主表面２ｂ側から出射された光も主表面２ａの表面から出射されることとなり、発光素子１から出射される光の照明光としての利用効率を高めることができる。
【００２４】
枠体７は、開口７ａを有しており、導光板２から拡散板３、第２配向制御部材５、第１配向制御部材４を介して出射される光の出射部を開口７ａ内に規制する作用を有する。
【００２５】
つぎに、導光板２の主表面２ｂに形成された光拡散部について説明する。図２は、光拡散部が形成された主表面２ｂを主表面２ｂ側から撮影した顕微鏡写真を示す模式図である。図３は、図２のＸ−Ｘ線断面およびＹ−Ｙ線断面を示す図である。図３（ａ）がＸ−Ｘ線断面図であり、図３（ｂ）がＹ−Ｙ線断面図である。図２、３に示すように、光拡散部２ｂｂは、平面視形状が略楕円形の複数の凸部Ｃが、長軸方向を揃えた状態で配列された構成を有する。なお、符号Ｇは凸部の配列の間の溝である。本実施形態１では、溝Ｇの底から凸部Ｃの頂部までの高さは４．７μｍ程度、凸部の長軸の長さは７５μｍ程度、短軸の長さは２５μｍ程度である。なお、これらのサイズは特にこれらの値には限定されない。この光拡散部２ｂｂは、主表面２ｂの略全面に亘って形成されている。
【００２６】
なお、このような光拡散部２ｂｂは、以下のように作製することができる。まず、金型用部材の表面に楕円形のビーム形状を有するレーザ光を照射してレーザ加工することにより金型を作製する。このとき、金型用部材の１箇所にレーザ光を照射することにより１つの略楕円形の凹部（凸部Ｃの型となる形状）を形成し、これをレーザ光の照射位置を少しずつずらしながら行うことにより複数の凹部の列を形成する。そして、この金型を用いて導光板２を成型することで光拡散部２ｂｂを作製できる。なお、凸部Ｃ（凹部）の形状は、金型用部材に照射するレーザ光の強度や１箇所に対する照射回数などの照射条件を適宜調整することによって所望の形状、サイズとすることができる。
【００２７】
つぎに、実施形態１における、導光板２の入光端面２ｃに対する第１配向制御部材４、第２配向制御部材５のプリズムの稜線の角度と、光拡散部２ｂｂの凸部Ｃの長軸の角度との関係について図４を用いて説明する。図４は、面状照明装置１０を矢印Ａ１(図１参照)と反対の方向から見た図である。破線Ｌ１は入光端面２ｃに平行な線である。矢印Ａ２は導光板２において発光素子１からの光が入光する側（入光端面２ｃ側）を示す。矢印Ａ３は導光板２において入光端面２ｃと対向する面側（終端面２ｄ側）を示す。矢印Ａ４は第１配向制御部材４の稜線４ａａが延伸する方向（第１方向）を示している。矢印Ａ５は第２配向制御部材５の稜線５ａａ（図１参照）が延伸する方向（第２方向）を示している。矢印Ａ６は光拡散部２ｂｂの凸部Ｃの長軸方向を示している。
【００２８】
図４に示すように、入光端面２ｃに対して反時計回りの方向を正にとると、第１方向は入光端面２ｃに対して８０°の角度を成している。第２方向は入光端面２ｃに対して−１０°の角度を成している。したがって第１方向と第２方向とは直交している。また、凸部Ｃの長軸方向は入光端面２ｃに対して９０°の角度を成している。したがって、第１方向に対する凸部Ｃの長軸方向の成す角は１０°である。このように、第１方向に対する凸部Ｃの長軸方向の成す角を１０°に設定することにより、傾斜した方向から見た場合の輝度むらが抑制される。
【００２９】
つぎに、本実施形態１に係る面状照明装置１０における輝度むらの抑制効果について、シミュレーション計算結果を用いて説明する。本計算例１では、実施形態１の構成において、入光端面２ｃに対する第１方向および第２方向の角度はそれぞれ８０°、−１０°に固定しつつ、入光端面２ｃに対する凸部Ｃの長軸方向の角度を変化させて、計算を行った。
【００３０】
また、本計算例１では、以下のように輝度むらを測定することを想定して計算を行った。図５は、輝度むらの測定方法を説明する図である。図５において、符号８は、導光板２、拡散板３、第１配向制御部材４、第２配向制御部材５および反射板６の積層体を示している。本計算例１では、積層体８の表面において特に発光素子１に近い入光端面２ｃの近傍の領域Ｓの輝度を輝度計ＬＭにて測定することを想定し、輝度の計算を行った。なお、領域Ｓは、入光端面２ｃから幅Ｗが２ｍｍ程度の領域である。また、本計算例１では、輝度計ＬＭを、積層体８の表面に垂直な方向（矢印Ａ１の方向）に設置した場合（角度θ＝０）、矢印Ａ１の方向に対して入光端面２ｃと平行な方向において紙面奥側に６０°傾いた方向に設置した場合（角度θ＝＋６０°）、矢印Ａ１の方向に対して入光端面２ｃと平行な方向において紙面手前側に６０°傾いた方向に設置した場合（角度θ＝−６０°）について計算を行った。また、溝Ｇの底から凸部Ｃの頂部までの高さは４．７μｍ程度、凸部Ｃの長径は７５μｍ程度、短径は２５μｍ程度、凸部の長径方向におけるピッチは０．２ｍｍとした。第１配向制御部材４、第２配向制御部材５におけるプリズムのピッチはいずれも０．２５ｍｍとした。
【００３１】
ここで、本明細書では、輝度むらを表す指標として反転率を用いる。反転率とは、領域Ｓ内の最大輝度を、領域Ｓ内の平均の輝度で規格化した値（規格化最大輝度）から、領域Ｓ内の最小輝度を、領域Ｓ内の平均の輝度で規格化した値（規格化最小輝度）を減算した値（すなわち、（規格化最大輝度）−（規格化最小輝度））を百分率で表した値と定義する。したがって、反転率が０％であれば輝度むらが無く、反転率が高くなるほど輝度むらが大きくなることとなる。
【００３２】
図６は、角度θ＝＋６０°での、入光端面２ｃに対する凸部Ｃの長軸の角度と反転率との関係を示す図である。図６に示すように、実施形態１のように凸部Ｃの長軸の角度が９０°の場合に反転率が１５％以下と最小となり、輝度むらが最小となった。このとき、第１方向に対する凸部Ｃの長軸方向の成す角は１０°である。なお、第１方向に対する凸部Ｃの長軸方向の成す角が１０°の場合に反転率が最小であるが、２５°以下（すなわち、−２５°から＋２５°の間）であれば反転率が小さく、輝度むらを抑制する効果は十分である。また、図６では、比較のため、計算例１において凸部を平面視形状で略円形の凸部に置き換えた場合の反転率を破線Ｌ２で示している。図６からわかるように、凸部を楕円形にすることによって円形の場合よりも反転率を小さくできる。
【００３３】
なお、本計算例１では、角度θ＝０°、角度θ＝−６０°の場合は、凸部Ｃの長軸の角度に関わらず反転率が略０％となり、輝度むらの無い良好な発光面が得られた。
【００３４】
（実施形態２）
つぎに、本発明の実施形態２について説明する。本実施形態２に係る面状照明装置は、実施形態１に係る面状照明装置１０において、導光板２の入光端面２ｃに対する第１配向制御部材４、第２配向制御部材５のプリズムの稜線の角度と、光拡散部２ｂｂの凸部Ｃの長軸の角度との関係を図７に示すように変更したものである。
【００３５】
図７に示すように、本実施形態２では、入光端面２ｃに対して反時計回りの方向を正にとると、第１方向は入光端面２ｃに対して４０°の角度を成している。第２方向は入光端面２ｃに対して−５０°の角度を成している。したがって第１方向と第２方向とは直交している。また、凸部Ｃの長軸方向は入光端面２ｃに対して５５°の角度を成している。したがって、第１方向に対する凸部Ｃの長軸方向の成す角は１５°である。このように、第１方向に対する凸部Ｃの長軸方向の成す角を１５°に設定することにより、傾斜した方向から見た場合の輝度むらが抑制される。
【００３６】
つぎに、本実施形態２に係る面状照明装置における輝度むらの抑制効果について、上記計算例１と同様に行ったシミュレーション計算結果を用いて説明する。本計算例２では、実施形態２の構成において、入光端面２ｃに対する第１方向および第２方向の角度はそれぞれ４０°、−５０°に固定しつつ、入光端面２ｃに対する凸部Ｃの長軸方向の角度を変化させて、計算を行った。
【００３７】
図８は、角度θ＝＋６０°での、入光端面２ｃに対する凸部Ｃの長軸の角度と反転率との関係を示す図である。図８に示すように、実施形態２のように凸部Ｃの長軸の角度が５５°の場合に反転率が８％以下と最小となり、輝度むらが最小となった。このとき、第１方向に対する凸部Ｃの長軸方向の成す角は１５°である。なお、第１方向に対する凸部Ｃの長軸方向の成す角が１５°の場合に反転率が最小であるが、２５°以下であれば反転率が小さく、輝度むらを抑制する効果は十分である。また、図６の場合と同様に、凸部を楕円形にすることによって、破線Ｌ２で示す円形の場合よりも反転率を小さくできる。
【００３８】
なお、本計算例２の場合も、凸部Ｃの長軸の角度に関わらず角度θ＝０°、角度θ＝―６０°の場合は反転率が略０％となり、輝度むらの無い良好な発光面が得られた。
【００３９】
（実施形態３）
つぎに、本発明の実施形態３について説明する。本実施形態３に係る面状照明装置は、実施形態１に係る面状照明装置１０において、導光板２の入光端面２ｃに対する第１配向制御部材４、第２配向制御部材５のプリズムの稜線の角度と、光拡散部２ｂｂの凸部Ｃの長軸の角度との関係を図９に示すように変更したものである。
【００４０】
図９に示すように、本実施形態３では、入光端面２ｃに対して反時計回りの方向を正にとると、第１方向は入光端面２ｃに対して６０°の角度を成している。第２方向は入光端面２ｃに対して−３０°の角度を成している。したがって第１方向と第２方向とは直交している。また、凸部Ｃの長軸方向は入光端面２ｃに対して６５°の角度を成している。したがって、第１方向に対する凸部Ｃの長軸方向の成す角は５°である。このように、第１方向に対する凸部Ｃの長軸方向の成す角を５°に設定することにより、傾斜した方向から見た場合の輝度むらが抑制される。
【００４１】
つぎに、本実施形態３に係る面状照明装置における輝度むらの抑制効果について、上記計算例１、２と同様に行ったシミュレーション計算結果を用いて説明する。本計算例３では、実施形態３の構成において、入光端面２ｃに対する第１方向および第２方向の角度はそれぞれ６０°、−３０°に固定しつつ、入光端面２ｃに対する凸部Ｃの長軸方向の角度を変化させて、計算を行った。
【００４２】
図１０は、角度θ＝−６０°での、入光端面２ｃに対する凸部Ｃの長軸の角度と反転率との関係を示す図である。図１０に示すように、実施形態３のように凸部Ｃの長軸の角度が６０°の場合に反転率が１８％以下と最小となり、輝度むらが最小となった。このとき、第１方向に対する凸部Ｃの長軸方向の成す角は０°である。なお、第１方向に対する凸部Ｃの長軸方向の成す角が０°の場合に反転率が最小であるが、２５°以下であれば反転率が小さく、輝度むらを抑制する効果は十分である。また、図６、８の場合と同様に、凸部を楕円形にすることによって、破線Ｌ２で示す円形の場合よりも反転率を小さくできる。
【００４３】
なお、本計算例３の場合も、凸部Ｃの長軸の角度に関わらず角度θ＝０°、角度θ＝＋６０°の場合は反転率が略０％となり、輝度むらの無い良好な発光面が得られた。
【００４４】
上記結果から考察すると、第１方向に対する凸部Ｃの長軸方向の成す角が２５°以下であれば、輝度むらが効果的に抑制される。また、第１方向に対する凸部Ｃの長軸方向の成す角は１５°以下とすることがより好ましい。さらには、導光板２の入光端面２ｃに対する第１配向制御部材４における第１方向の成す角が４０°以下（すなわち、−４０°から＋４０°の間）であれば、より輝度むらが抑制され、さらに好ましい。
【００４５】
つぎに、計算例４として、上記計算例３の条件において、入光端面２ｃに対する第１方向、第２方向の角度はそれぞれ６０°、−３０°に固定し、かつ入光端面２ｃに対する凸部Ｃの長軸方向の角度を９０°に固定しつつ、凸部Ｃの高さを変化させて、計算を行った。
【００４６】
図１１は、凸部の高さと反転率との関係を示す図である。図１１に示すように、凸部Ｃの高さが高いほど、反転率が低くなることが確認された。
【００４７】
つぎに、計算例５として、上記計算例１の条件において、入光端面２ｃに対する第１方向、第２方向の角度はそれぞれ６０°、−３０°に固定し、かつ入光端面２ｃに対する凸部Ｃの長軸方向の角度を９０°に固定しつつ、凸部Ｃの縦／横比を変化させて、計算を行った。ここで、縦／横比とは、凸部Ｃの楕円の短径に対する長径の比を意味する。したがって、縦／横比が１の場合は凸部は円形である。
【００４８】
図１２は、凸部の縦／横比と反転率との関係を示す図である。図１２に示すように、凸部Ｃの縦／横比が大きいほど、反転率が低くなり、特に縦／横比が３以上が好ましいことが確認された。
【００４９】
なお、上記実施の形態では、光拡散部２ｂｂは導光板２の主表面２ｂ側に形成されているが、主表面２ａ側に形成してもよい。また、光拡散部２ｂｂは主表面２ａ、２ｂ側の両方に形成してもよい。この場合、主表面２ａにはレンチキュラーレンズは形成されていなくてもよい。
【００５０】
また、上記実施の形態では、光拡散部２ｂｂは導光板２の主表面２ｂの全面に形成されているが、輝度むらは入光端面２ｃの近傍で発生しやすいため、入光端面２ｃの近傍に設けてもよい。ここで、入光端面２ｃの近傍とは、入光端面２ｃから５ｍｍ以内程度の領域である。そして、その近傍以外の領域には、楕円形の凸部に代えて円形の凸部を形成するようにしてもよい。
【００５１】
また、上記実施形態では、第１方向に対する凸部の長軸方向の成す角が２５°以下であれば輝度むらを抑制する効果は十分であるが、第１方向に対して光拡散部の凸部の長軸方向が傾いていることでも、輝度むらを抑制する効果が発揮される。
【００５２】
また、上記実施形態により本発明が限定されるものではない。上述した各構成素を適宜組み合わせて構成したものも本発明に含まれる。また、さらなる効果や変形例は、当業者によって容易に導き出すことができる。よって、本発明のより広範な態様は、上記の実施形態に限定されるものではなく、様々な変更が可能である。
【符号の説明】
【００５３】
１  発光素子
２  導光板
２ａ、２ｂ  主表面
２ｂｂ  光拡散部
２ｃ  入光端面
２ｄ  終端面
３  拡散板
４  第１配向制御部材
４ａ、５ａ  プリズム
４ａａ、５ａａ  稜線
５  第２配向制御部材
６  反射板
７  枠体
７ａ  開口
８  積層体
１０  面状照明装置
Ａ１、Ａ２、Ａ３、Ａ４、Ａ５、Ａ６  矢印
Ｃ  凸部
Ｇ  溝
Ｌ１、Ｌ２  破線
ＬＭ  輝度計
Ｓ  領域
【図１】
2017076557.tif 000003
【図３】
2017076557.tif 000004
【図４】
2017076557.tif 000005
【図５】
2017076557.tif 000006
【図６】
2017076557.tif 000007
【図７】
2017076557.tif 000008
【図８】
2017076557.tif 000009
【図９】
2017076557.tif 000010
【図１０】
2017076557.tif 000011
【図１１】
2017076557.tif 000012
【図１２】
2017076557.tif 000013
【図２】
2017076557.tif 000014